(57)【要約】    【課題】投票用紙の誤交付を効果的に防止できる投票用紙交付装置を提供すること。    【解決手段】投票用紙Ｐを、１枚ずつ、収容部２から取り出して、搬送路３１を通して、用紙取出口３２から交付させるようになっている、投票用紙交付装置において、装置本体１内に設置されたカラーセンサー８１と、カラーセンサー８１によって読み取られた、基準指標物の色情報に基づいて、正規色情報を設定する、正規色情報設定部と、カラーセンサー８１によって読み取られた、収容部２に収容された投票用紙Ｐの色情報を、読取色情報として設定する、読取色情報設定部と、正規色情報設定部によって設定された正規色情報と、読取色情報設定部によって設定された読取色情報と、を比較して、両者が一致するか否かを判定する、判定部と、判定部による判定結果が「不一致」である場合に、交付作動を中止する、交付中止部と、を備えている。【選択図】図２
2020021423.tif 000002
【特許請求の範囲】
【請求項１】
開閉蓋を有する装置本体内に、
複数枚の投票用紙を収容できる収容部と、
前記収容部に収容された前記投票用紙を、１枚ずつ、前記収容部から取り出して、搬送路を通して、用紙取出口から交付させる、用紙交付機構と、
を備えている、投票用紙交付装置において、
前記装置本体内に設置されており、対象物の色情報を読み取る、カラーセンサーと、
前記カラーセンサーによって読み取られた、基準指標物の色情報に基づいて、正規色情報を設定する、正規色情報設定部と、
前記カラーセンサーによって読み取られた、前記収容部に収容された前記投票用紙の色情報を、読取色情報として設定する、読取色情報設定部と、
前記正規色情報設定部によって設定された前記正規色情報と、前記読取色情報設定部によって設定された前記読取色情報と、を比較して、両者が一致するか否かを判定する、判定部と、
前記判定部による判定結果が「不一致」である場合に、前記交付作動を中止する、交付中止部と、
を備えていることを特徴とする、投票用紙交付装置。
【請求項２】
前記基準指標物の色情報及び前記投票用紙の色情報は、それぞれ、Ｒ値とＧ値とＢ値とによって規定されており、
前記正規色情報は、所定範囲のＲ値と、所定範囲のＧ値と、所定範囲のＢ値と、によって、規定されており、
前記判定部は、前記読取色情報のＲ値、Ｇ値、及びＢ値の各値が、前記正規色情報のＲ値、Ｇ値、及びＢ値の各範囲に、含まれない場合には「不一致」と判定し、含まれる場合には「一致」と判定するようになっている、
請求項１記載の投票用紙交付装置。
【請求項３】
前記基準指標物は、交付予定の正規の投票用紙自体であり、又は、交付予定の正規の投票用紙と同じ色情報を有する物品である、
請求項１又は２に記載の投票用紙交付装置。
【請求項４】
前記判定部による判定結果が「一致」である場合に、次の判定において採用する前記正規色情報として、比較された当該読取色情報に基づいて更新された正規色情報を設定する、正規色情報更新部を、更に備えている、
請求項１〜３のいずれか一つに記載の投票用紙交付装置。
【請求項５】
複数の選挙種別の名前と、各選挙種別に対応した正規色情報とを、記憶している、データテーブルを、備えており、
前記正規色情報設定部は、前記基準指標物の色情報を含んでいる前記正規色情報を、前記データテーブルから取得して、設定するようになっている、
請求項１〜４のいずれか一つに記載の投票用紙交付装置。
【請求項６】
前記開閉蓋を開閉する度に、前記カラーセンサー、前記読取色情報設定部、前記判定部、及び前記交付中止部を、作動させる、開閉連動部を、更に備えている、
請求項１〜５のいずれか一つに記載の投票用紙交付装置。
【請求項７】
前記カラーセンサーは、前記収容部に収容されている前記投票用紙の色情報を、読み取るように、設置されており、
前記交付中止部は、前記用紙交付機構の作動を中止するようになっている、
請求項１〜６のいずれか一つに記載の投票用紙交付装置。
【請求項８】
前記収容部は、前記投票用紙を縦積み形式で収容するようになっており、
前記カラーセンサーは、収容されている前記投票用紙を前方又は後方から検知できるように、配置されている、
請求項７記載の投票用紙交付装置。
【請求項９】
前記収容部は、縦積みされている前記投票用紙を後方から前方へ向けて押し付ける押さえ部材を、更に備えており、
前記押さえ部材は、前記基準指標物を交換可能に保持する指標保持部を、有している、
請求項８記載の投票用紙交付装置。
【請求項１０】
前記基準指標物は、選挙種別の識別コードを、更に有しており、
前記装置本体内には、前記識別コードを読み取る識別コード読取センサーが、設けられている、
請求項９記載の投票用紙交付装置。
【請求項１１】
前記識別コード読取センサーは、前記カラーセンサーに並設されており、
前記正規色情報設定部は、前記正規色情報と共に選挙種別の名前も設定するようになっている、
請求項１０記載の投票用紙交付装置。
【請求項１２】
前記基準指標物には、選挙種別の名前が記載されている、
請求項９記載の投票用紙交付装置。
【請求項１３】
複数種類の前記基準指標物を有する指標部材を、備えており、
前記指標部材は、複数種類の前記基準指標物の内の任意の前記基準指標物を、前記カラーセンサーに読み取らせるように、設定できるようになっている、
請求項８記載の投票用紙交付装置。
【請求項１４】
前記収容部は、前記投票用紙を平積み形式で収容するようになっており、
前記カラーセンサーは、収容されている前記投票用紙を上方又は下方から検知できるように、配置されている、
請求項７記載の投票用紙交付装置。
【請求項１５】
前記カラーセンサーは、前記搬送路を通る前記投票用紙の色情報を読み取るように、設置されており、
前記交付中止部は、前記搬送路において前記色情報が読み取られた前記投票用紙を、分岐経路を通して回収部に回収するように、前記用紙交付機構を作動させるようになっている、
請求項１〜６のいずれか一つに記載の投票用紙交付装置。
【請求項１６】
前記読取色情報設定部を非作動状態に設定できる、読取非作動設定手段を、更に備えている、
請求項１〜１５のいずれか一つに記載の投票用紙交付装置。
【請求項１７】
前記データテーブルに記憶されている前記正規色情報を、任意の別の正規色情報に変更できる、正規色情報変更手段を、更に備えている、
請求項５記載の投票用紙交付装置。
【請求項１８】
前記投票用紙の前記色情報は、選挙種別毎に特定されている、
請求項１〜１７のいずれか一つに記載の投票用紙交付装置。
【発明の詳細な説明】
【技術分野】
【０００１】
本発明は、投票用紙を投票者に交付するための投票用紙交付装置に関する。
【背景技術】
【０００２】
従来から、選挙においては、投票用紙交付装置が用いられている。投票用紙交付装置は、多数枚の投票用紙を収容しており、操作者がスイッチを押す度に、投票用紙を１枚ずつ送り出すようになっている。送り出された投票用紙は、操作者が抜き取って選挙人に手渡したり選挙人が自ら抜き取ったりすることによって、選挙人に交付される。それ故、投票用紙交付装置は、投票用紙を１枚ずつ確実に選挙人に交付でき、また、交付した投票用紙の枚数を正確に計数できるので、投票用紙の管理事務の効率化に役立っている。
【０００３】
ところで、複数の選挙が同時に実施される場合には、投票用紙は、複数種別あり、種別毎に、対応する投票用紙交付装置にセットされる。その際、投票用紙交付装置に、誤った種別の投票用紙をセットしてしまうと、投票用紙の誤交付が生じる。
【０００４】
このような投票用紙の誤交付を防止するために、本願出願人は、種々の投票用紙交付装置を提案している（特許文献１〜３）。
【先行技術文献】
【特許文献】
【０００５】
【特許文献１】特開平６−２１５２１８号公報
【特許文献２】特開２０１５−１４６１１４号公報
【特許文献３】特開２０１６−０９１３７３号公報
【発明の概要】
【発明が解決しようとする課題】
【０００６】
特許文献１の投票用紙交付装置では、特別な識別コードを投票用紙に予め印刷しておく必要がある。それ故、この装置は、準備作業が大掛かりとなり、実用化には至っていない。一方、特許文献２、３の投票用紙交付装置は、投票用紙の種別の目視確認を操作者に促すことができる。これらの装置によれば、投票用紙交付装置に誤った種別の投票用紙をセットしてしまうことを、有効に防止できる。
【０００７】
ところで、近年、選挙種別毎に、異なる色の投票用紙が使用されることがある。例えば、「参議院比例代表選挙」は「白色」、「衆議院小選挙区選挙」は「ピンク色」、「衆議院比例代表選挙」は「あさぎ色」である。このように選挙種別と色とが対応付けられていれば、投票用紙の色を確認の対象要素とすることによって投票用紙の誤交付を容易且つ確実に防止できることが、期待される。
【０００８】
本発明は、投票用紙の色を自動で確認することによって投票用紙の誤交付を効果的に防止できる、投票用紙交付装置を、提供することを目的としている。
【課題を解決するための手段】
【０００９】
本発明の投票用紙交付装置は、開閉蓋を有する装置本体内に、複数枚の投票用紙を収容できる収容部と、前記収容部に収容された前記投票用紙を、１枚ずつ、前記収容部から取り出して、搬送路を通して、用紙取出口から交付させる、用紙交付機構と、を備えている、投票用紙交付装置において、前記装置本体内に設置されており、対象物の色情報を読み取る、カラーセンサーと、前記カラーセンサーによって読み取られた、基準指標物の色情報に基づいて、正規色情報を設定する、正規色情報設定部と、前記カラーセンサーによって読み取られた、前記収容部に収容された前記投票用紙の色情報を、読取色情報として設定する、読取色情報設定部と、前記正規色情報設定部によって設定された前記正規色情報と、前記読取色情報設定部によって設定された前記読取色情報と、を比較して、両者が一致するか否かを判定する、判定部と、前記判定部による判定結果が「不一致」である場合に、前記交付作動を中止する、交付中止部と、を備えていることを特徴としている。
【発明の効果】
【００１０】
本発明によれば、収容部に収容された投票用紙の色情報を、交付予定の正規の投票用紙の正規色情報と比較し、両者が一致しない場合には、交付作動を中止するので、間違った投票用紙が交付されるのを自動で且つ確実に防止できる。
【図面の簡単な説明】
【００１１】
【図１】本発明の一実施形態の投票用紙交付装置の外観斜視図である。
【図２】図１のII−II断面図である。
【図３】上カバーが開いた状態の装置本体の外観斜視図である。
【図４】制御部を含む交付装置のブロック図である。
【図５】収容部の立壁を後方から見た図である。
【図６】押さえ部材を前方から見た図である。
【図７】基準指標物を示す図である。
【図８】データテーブルに記憶させるデータを示す図である。
【図９】本発明の変形構成の一例であって上カバーが閉じている時の作業検知センサーのオン状態を示す断面略図である。
【図１０】図９の例であって上カバーが開いている時の作業検知センサーのオフ状態を示す断面略図である。
【図１１】本発明の変形構成の一例であって上カバーが閉じている時の別の例の作業検知センサーのオン状態を示す断面略図である。
【図１２】図１１の例であって上カバーが開いている時の作業検知センサーのオフ状態を示す断面略図である。
【図１３】本発明の変形構成の一例であって交付装置の前方斜視図である。
【図１４】図１３の例であって交付装置の後方斜視図である。
【図１５】図１３のＸＶ−ＸＶ断面図である。
【図１６】本発明の変形構成の一例であって平積みされた投票用紙の上方にカラーセンサーが配置された場合を示す断面図である。
【図１７】本発明の変形構成の一例であって平積みされた投票用紙の下方にカラーセンサーが配置された場合を示す断面図である。
【図１８】本発明の変形構成の一例であってカラーセンサーが搬送路の上方に配置された場合を示す断面図である。
【図１９】本発明の変形構成の一例であってカラーセンサーが搬送路の下方に配置された場合を示す断面図である。
【図２０】図１９の要部斜視図である。
【図２１】本発明の変形構成の一例であって回転式の指標部材及びその駆動機構を示す平面断面略図である。
【図２２】図２１の指標部材のＸＸII矢視図である。
【図２３】本発明の変形構成の一例であってスライド式の指標部材の斜視図である。
【図２４】図２３のＸＸIV矢視図である。
【図２５】コントローラ部の背面のスイッチ群を示す図である。
【図２６】他の構成を有する投票用紙交付装置を示す断面図である。
【図２７】図２６の交付装置のブロック図である。
【図２８】図２６の交付装置で交付する投票用紙の一例を示す図である。
【発明を実施するための形態】
【００１２】
本発明の投票用紙交付装置は、選挙種別毎に特定された色情報を有する投票用紙を交付する際に、有効に使用できる。よって、実施形態で用いる投票用紙は、選挙種別毎に特定された色情報を有している。なお、投票用紙の「色情報」は、ＲＧＢカラーモデルにおける、Ｒ値、Ｇ値、及びＢ値によって、規定されている。
【００１３】
（全体構成）
図１は、本発明の一実施形態の投票用紙交付装置の外観斜視図である。図２は、図１のII−II断面図である。この交付装置１０は、装置本体１とコントローラ部９とからなっている。ここでは、装置本体１とコントローラ部９とは、別体に設けられている。
【００１４】
（装置本体）
装置本体１は、略直方体形状の筐体であり、上カバー（開閉蓋）１１１を有している。図３は、上カバー１１１が開いた状態の装置本体１の外観斜視図である。上カバー１１１は、装置本体１の上壁１１の略後半部と後壁１５の上部とが一体となって構成されている。上カバー１１１は、前縁部１１２を支点として、上下に回動することにより、開閉するようになっている。
【００１５】
装置本体１は、内部に、複数枚の投票用紙Ｐを収容する収容部２と、収容部２において最前端に位置する１枚の投票用紙Ｐを、収容部２から取り出して、搬送路３１を通して搬送して、用紙取出口３２から交付させる、用紙交付機構３と、用紙交付機構３の途中から、搬送中の投票用紙Ｐを回収する、回収機構４と、回収された投票用紙Ｐを収容する回収部５と、を有している。上カバー１１１は、回収部５の一部及び収容部２の全部を覆っている。上カバー１１１は、外部から収容部２を視認できるように構成されており、具体的には、透明に形成されている。
【００１６】
装置本体１は、後壁１５の片隅に、電源１０３（図４）からの通電をオン・オフする電源スイッチ１０１と、電源へのコネクタ１０２と、を有している。更に、装置本体１は、装置全体の作動を制御する制御部７（図４）を有している。図４は、制御部７を含む交付装置１０のブロック図である。制御部７は、ＣＰＵ、ＲＯＭ、ＲＡＭ等により、実現されている。
【００１７】
（コントローラ部）
コントローラ部９は、コード９１を介して、装置本体１の制御部７に接続されており、制御部７に制御信号を送信するようになっている。コントローラ部９は、操作キー９２、９３、表示パネル９４、確認スイッチ９５、及び消音スイッチ９６等を、有している。
【００１８】
確認スイッチ９５は、押されることによってオンするようになっている。また、確認スイッチ９５は、表示ランプを構成するＬＥＤと一体となっている。ＬＥＤとしては、白色ＬＥＤが好ましく用いられている。
【００１９】
（収容部）
収容部２は、複数枚の投票用紙Ｐを収容する空間として構成されており、立壁２１と底壁２２と両側壁２３とで囲まれている。立壁２１は、上部が前になるように少し傾斜しており、収容部２と用紙交付機構３とを隔てている。底壁２２は、用紙交付機構３に向けて少し低くなるように傾斜している。投票用紙Ｐは、図２に示されるように、立壁２１に沿うように立てた状態で、且つ、立壁２１側から重ねた状態で、すなわち、縦積み形式で積載された状態で、収容部２に収容される。底壁２２には、収容された投票用紙Ｐを立壁２１に向けて押し付ける押さえ部材２５が設けられている。押さえ部材２５は、板体であり、前後方向（矢印Ｙ方向）に移動可能に設けられており、スプリング２６によって立壁２１側へ常時付勢されている。
【００２０】
（用紙交付機構）
用紙交付機構３は、操作キー９２又は９３を１回オンすると、次のように１回作動するようになっている。すなわち、図２に示されるように、まず、取出ローラ３３１及び捌き部材３３２によって、収容部２において最前端に位置している投票用紙Ｐが、収容部２から取り出され、搬送路３１へ送り出される。このとき、偏心ローラ３３３が、立壁２１から収容部２内へ周期的に突出するように回転して、重なっている投票用紙Ｐを揺動させるので、投票用紙Ｐ同士の間に隙間が生じ、１枚の投票用紙Ｐが取り出しやすくなる。搬送路３１に送り出された投票用紙Ｐは、搬送ローラ３４１、３４２、３４３によって、用紙取出口３２まで搬送される。投票用紙Ｐは、抜き取り検出部材３５１を回動させながら搬送されて、用紙取出口３２から突出し、回動から復帰した抜き取り検出部材３５１によって、下部が押さえられ、これによって、一部が用紙取出口３２から突出した状態で止まる。なお、抜き取り検出部材３５１は、スプリング（図示せず）によって復帰方向に常時付勢されている。そして、次の投票用紙Ｐの先端が１対の用紙先端検出センサー３６１によって検知されると、全てのローラの作動が停止する。次いで、用紙取出口３２から突出した投票用紙Ｐが、投票者によって抜き取られると、抜き取り検出部材３５１の回動がセンサー３６２によって検知され、装置本体１の前部に内蔵されたスピーカー６２から選挙種別の名前等を告げる音声が流れる。
【００２１】
（回収機構）
回収機構４は、搬送路３１内に突出するように回動可能な排除ガイド部材４１を、備えている。排除ガイド部材４１は、搬送路３１内に突出するように回動すると、搬送ローラ３４３との間に、搬送路３１と回収部５とを連通させる通路４０を構成し、それによって、搬送されて来る投票用紙Ｐを搬送路３１から回収部５へ逃がすようになっている。なお、排除ガイド部材４１は、例えば、投票用紙Ｐの重なりが用紙先端検出センサー３６１によって検知されると、回動して搬送路３１内に突出するように、制御部７によって制御されている。それ故、回収機構４によれば、重なった投票用紙Ｐが用紙取出口３２から突出するのを防止できる。
【００２２】
（回収部）
回収部５は、通路４０を搬送されて来た投票用紙Ｐが積載されていく空間として構成されており、底壁５１と両側壁５３とで囲まれている。底壁５１は、後方向に高くなるように傾斜している。両側壁５３は、例えば、収容部２を構成している両側壁２３と同じ壁である。
【００２３】
（照明具）
装置本体１は、内部に、照明具６１を有している。照明具６１は、上カバー１１１の前縁部１１２の内面に、設けられており、上カバー１１１が閉じた状態で、収容部２及び回収部５を照らすように、配置されている。照明具６１としては、演色性が優れているという観点から、白色ＬＥＤ又は白色系電球が好ましく用いられている。
【００２４】
（カラーセンサー）
装置本体１の内部には、カラーセンサー８１が設置されている。カラーセンサー８１は、対象物の色情報を読み取ることができる。カラーセンサー８１は、図２に示されるように、立壁２１の裏側（前側）に、設置されている。図５は、収容部２の立壁２１を後方から見た図である。立壁２１の、カラーセンサー８１に対向した部分には、透明窓８１１が、形成されている。これにより、カラーセンサー８１は、収容部２内の対象物の色情報を読み取ることができる。なお、カラーセンサー８１は、専用のフォトＩＣによっても構成でき、又は、複数色のＬＥＤ及びフォトトランジスタによっても構成できる。
【００２５】
（押さえ部材）
図６は、押さえ部材２５を前方から見た図である。押さえ部材２５は、透明である。押さえ部材２５の、カラーセンサー８１に対向した部分には、指標保持部２５１が形成されている。指標保持部２５１は、板状の基準指標物を上方から挿し込んで保持できるポケットを、有している。図７は、基準指標物３０を示している。基準指標物３０は、投票用紙と同じ素材の指標用紙３０１が薄板３０２に貼り付けられて構成されている。指標用紙３０１は、投票用紙と同じ素材であるから、同じ色情報を有している。また、指標用紙３０１には、選挙種別の名前３０３が印刷されている。更に、指標用紙３０１には、選挙種別の名前３０３の下方に、当該選挙種別を示す識別コード３０４が印刷されている。識別コード３０４は、３個の識別符号用印刷領域３０４１、３０４２、３０４３を有しており、任意の組み合わせの領域のみに識別符号が印刷されることによって、「選挙種別」を特定するようになっている。
【００２６】
（識別コード読取センサー）
図２及び図５に示されるように、立壁２１の裏側であってカラーセンサー８１の下方には、指標用紙３０１の識別コード３０４を読み取るための識別コード読取センサー８３が設置されている。識別コード読取センサー８３は、３個の反射型センサーを有している。３個の反射型センサーは、立壁２１に設けられた透明窓８３１、８３２、８３３を通して、指標保持部２５１に保持された基準指標物３０の３個の識別符号用印刷領域３０４１、３０４２、３０４３に、それぞれ対向するように、配置されている。３個の識別符号用印刷領域３０４１、３０４２、３０４３は、例えば、白黒の３ビットの符号に色分けされる。これにより、識別コード読取センサー８３は、基準指標物３０が示す選挙種別の名前を読み取ることができる。なお、読み取られた選挙種別の名前は、コントローラ部９の表示パネル９４に表示される。
【００２７】
（制御部）
制御部７は、データ設定部７１、正規色情報設定部７２、読取色情報設定部７３、判定部７４、及び交付中止部７５等を、有している。
【００２８】
（記憶部）
制御部７には、記憶部７７が接続されている。記憶部７７は、複数種類の選挙種別の名前と各選挙種別に対応した色情報すなわち正規色情報とを記憶するためのデータテーブル７７１を有している。
【００２９】
［作動］
次に、上記構成の交付装置１０の作動について、説明する。
【００３０】
（１）データ設定作業
データ設定作業は、データテーブル７７１に、複数種類の選挙種別の名前と各選挙種別に対応した正規色情報とを記憶させる。例えば、図８に示されるようなデータを記憶させる。このデータは、第１〜第５選挙種別の名前と、第１〜第５選挙種別に対応した第１〜第５正規色情報と、を含んでいる。正規色情報は、所定範囲のＲ値と、所定範囲のＧ値と、所定範囲のＢ値とによって、規定されている。すなわち、図８において、第１選挙種別に対応する第１正規色情報は、Ｖ１〜Ｖ２のＲ値と、Ｖ３〜Ｖ４のＧ値と、Ｖ５〜Ｖ６のＢ値とによって、規定されており、第２〜第５選挙種別に対応した第２〜第５正規色情報も、それぞれ、同様である。データ設定作業は、具体的には、次の（ａ）又は（ｂ）のように行う。なお、以下では、図８のデータを記憶させる場合について説明する。
【００３１】
（ａ）まず、選挙種別に対応した色情報を有する基準紙を、選挙種別毎に用意する。すなわち、第１〜第５選挙種別に対応した第１〜第５基準紙を用意する。なお、色情報は、Ｒ値とＧ値とＢ値とによって規定されている。次に、電源スイッチ１０１をオンして、第１〜第５基準紙の色情報を、それぞれ、カラーセンサー８１に、読み取らせる。そうすると、データ設定部７１が、読み取られた第１〜第５基準紙の色情報に基づいて第１〜第５正規色情報をそれぞれ算出し、算出した第１〜第５正規色情報を対応する第１〜第５選挙種別と紐付けてデータテーブル７７１に記憶させる。
【００３２】
（ｂ）まず、代表的な選挙種別に対応した色情報を有する基準紙１枚のみを、用意する。すなわち、例えば、第１選挙種別に対応した第１基準紙を用意する。なお、色情報は、Ｒ値とＧ値とＢ値とによって規定されている。次に、電源スイッチ１０１をオンして、第１基準紙の色情報を、カラーセンサー８１に、読み取らせる。そうすると、データ設定部７１が、読み取られた第１基準紙の色情報に基づいて第１正規色情報を算出し、算出した第１正規色情報を対応する第１選挙種別と紐付けてデータテーブル７７１に記憶させるとともに、読み取られた第１基準紙の色情報に基づいて第２〜第５正規色情報をそれぞれ算出し、算出した第２〜第５正規色情報を対応する第２〜第５選挙種別と紐付けてデータテーブル７７１に記憶させる。
【００３３】
なお、データ設定作業は、通常は、工場出荷時に行う。よって、上記作業が終了すると、操作者は、電源スイッチ１０１をオフして、交付装置１０を梱包する。
【００３４】
（２）初期設定作業
交付装置１０を開梱した操作者は、まず、初期設定作業を行う。初期設定作業は、交付装置１０によって交付する正規の投票用紙の「選挙種別」及び「正規色情報」を特定する。
【００３５】
(2-1)操作者は、装置本体１の電源スイッチ１０１をオンする。そうすると、設定作業の案内音声がスピーカー６２から流れ始める。
【００３６】
(2-2)まず、「基準指標物を入れて、確認スイッチ（ＳＷ）を押して下さい」との案内音声が流れる。操作者は、案内音声に従って、上カバー１１１を開けて、基準指標物３０を、押さえ部材２５の指標保持部２５１に保持させ、その後、上カバー１１１を閉じて、確認スイッチ９５を押す。なお、このとき、押さえ部材２５は、収容部２に投票用紙が収容されていない状態で、立壁２１に近接しているのが好ましい。
【００３７】
なお、基準指標物３０は、上述したように、交付予定すなわち正規の投票用紙と同じ色情報を有しており、また、基準指標物３０には、投票用紙の選挙種別の名前３０３とその選挙種別を示す識別コード３０４が印刷されている。
【００３８】
確認スイッチ９５が押されると、カラーセンサー８１、識別コード読取センサー８３、及び正規色情報設定部７２が、作動した後、次の案内音声がスピーカー６２から流れる。カラーセンサー８１は、基準指標物３０の色情報を読み取る。識別コード読取センサー８３は、基準指標物３０の識別コード３０４から選挙種別の名前を読み取る。そして、正規色情報設定部７２は、カラーセンサー８１によって読み取られた、基準指標物３０の色情報に基づいて、正規色情報を設定するとともに、識別コード読取センサー８３によって読み取られた、基準指標物３０の選挙種別の名前を、設定する。なお、正規色情報設定部７２は、基準指標物３０の色情報を含んでいる正規色情報を、データテーブル７７１から取得して、設定する。これにより、この交付装置１０によって交付する投票用紙の「選挙種別」及び「正規色情報」が特定される。
【００３９】
(2-3)そして、例えば選挙種別として「参議院比例代表」を選定している場合には、「参議院比例代表を選定」及び「正しければ確認スイッチを押して下さい」との案内音声が流れる。操作者が確認スイッチ９５を押すと、初期設定作業が終了する。
【００４０】
（３）交付作業
(3-1)確認スイッチ９５が押されると、「上カバーを開けて下さい」との案内音声が流れる。更に、「白いレバーを突きあたりまで引いて下さい」及び「用紙をよくさばいてセットして下さい」の案内音声が、続けて流れる。なお、白いレバーは、押さえ部材２５である。操作者は、案内音声に従って、上カバー１１１を開けて、投票用紙を収容部２に積載し、その後、上カバー１１１を閉じる。
【００４１】
(3-2)そして、操作者は、交付作業を開始する。すなわち、操作者は、投票者が一人来ると、操作キー９２又は９３を１回オンする。このとき、投票者が男性の場合には男性用の操作キー９２をオンし、投票者が女性の場合には女性用の操作キー９３をオンする。
【００４２】
操作キー９２又は９３が１回オンされると、カラーセンサー８１、読取色情報設定部７３、判定部７４、及び交付中止部７５が作動する。カラーセンサー８１は、収容部２の投票用紙Ｐの色情報を読み取る。読取色情報設定部７３は、カラーセンサー８１によって読み取られた投票用紙Ｐの色情報を、読取色情報として設定する。判定部７４は、正規色情報設定部７２によって設定された正規色情報と、読取色情報設定部７３によって設定された読取色情報と、を比較して、両者が一致するか否かを判定する。なお、判定部７４は、読取色情報のＲ値、Ｇ値、及びＢ値の各値が、正規色情報のＲ値、Ｇ値、及びＢ値の各範囲に、含まれない場合には「不一致」と判定し、含まれる場合には「一致」と判定する。交付中止部７５は、判定部７４による判定結果が「不一致」である場合に、例えば用紙交付機構３の作動を中止することによって、交付作動を中止するとともに、コントローラ部９の表示パネル９４に「用紙が間違っています」と表示したりスピーカー６２から「用紙が間違っています」と報知したりすることによって警告を発する。
【００４３】
(3-3)交付作動が中止した場合、操作者は、上カバー１１１を開け、収容部２内の間違っている投票用紙Ｐを除去する。そして、上カバー１１１を閉じて、改めて、交付作業を開始する。なお、判定部７４の判定結果が「一致」である場合には、収容部２の最前端の投票用紙Ｐが、収容部２から取り出され、搬送路３１を通して搬送されて、用紙取出口３２から突出する。用紙取出口３２から突出した投票用紙Ｐは、投票者によって抜き出され、すなわち、交付される。
【００４４】
［効果］
上記構成の交付装置１０によれば、次のような効果を発揮できる。
【００４５】
（ａ）収容部２に収容された投票用紙Ｐの色情報を、交付装置１０によって交付する正規の投票用紙の正規色情報と比較し、両者が一致しない場合には、交付作動を中止するので、間違った投票用紙Ｐが交付されるのを自動で且つ確実に防止できる。
【００４６】
（ｂ）正規色情報及び読取色情報を、同じカラーセンサー８１を用いて取得しているので、同じ条件で取得でき、よって、判定部７４による判定を高い信頼性の下に行うことができる。
【００４７】
（ｃ）基準指標物３０の色情報をカラーセンサー８１に読み取らせることによって正規色情報を設定するので、正規色情報を容易に設定できる。
【００４８】
（ｄ）判定部７４は、読取色情報のＲ値、Ｇ値、及びＢ値の各値が、正規色情報のＲ値、Ｇ値、及びＢ値の各範囲に、含まれるか否かによって、判定するので、融通のある判定を実行できる。例えば、時間の経過に起因して、投票用紙が僅かに色褪せたりカラーセンサー８１の感度が僅かに変動したりした場合でも、判定部７４は、そのような僅かな差異に捕らわれることなく、正当な判定結果を得ることができる。
【００４９】
（ｅ）正規色情報設定部７２は、正規色情報を、データテーブル７７１から取得して設定するので、作業性良く設定できる。
【００５０】
（ｆ）交付中止部７５は、判定部７４による判定結果が「不一致」である場合に、用紙交付機構３の作動を中止するので、確実に交付作動を中止できる。
【００５１】
（ｇ）カラーセンサー８１が収容部２の縦積みされた投票用紙Ｐを前方から検知できるので、判定部７４は、これから交付しようとしている最前端の投票用紙Ｐが間違いか否かを判定できる。
【００５２】
（ｈ）押さえ部材２５が基準指標物３０を指標保持部２５１に保持できるので、カラーセンサー８１は、投票用紙Ｐと同じ条件で基準指標物３０を検知できる。
【００５３】
（ｉ）識別コード読取センサー８３が基準指標物３０の選挙種別の名前を読み取って設定するので、操作者は、交付装置１０が使用される選挙種別を確実に認識できる。
【００５４】
［変形構成］
上記構成の交付装置１０は、次のような変形構成を採用してもよい。
【００５５】
（ｉ）正規色情報設定部７２が、データテーブル７７１から正規色情報を取得するのではなく、自ら、基準指標物の色情報に基づいて正規色情報を算出して、設定する。これによれば、データテーブルを不要にできる。
【００５６】
（ii）基準指標物３０として、交付予定の正規の投票用紙自体を用いる。これによれば、基準指標物３０を改めて製作する手間を省くことができる。
【００５７】
（iii）制御部７が、正規色情報更新部を更に備えている。正規色情報更新部は、判定部７４による判定結果が「一致」である場合に、次の判定において採用する正規色情報を、比較された読取色情報に基づいて更新する。すなわち、正規色情報更新部は、例えば、判定部７４が正規色情報（Ａ）と読取色情報（ａ）とを比較して、判定結果が「一致」である場合において、次の判定で採用する正規色情報として、読取色情報（ａ）に基づいて更新された正規色情報（Ｂ）を設定する。具体的には、正規色情報（Ｂ）のＲ値、Ｇ値、及びＢ値の各範囲を、読取色情報（ａ）のＲ値、Ｇ値、及びＢ値を中央に有する範囲に、設定する。これによれば、カラーセンサー８１の感度が経時的に変動した場合でも、正当な判定結果を得ることができる。
【００５８】
（iv）制御部７が、開閉連動部を更に備えている。開閉連動部は、上カバー１１１を開閉する度に、投票用紙が補充されたものと判断して、カラーセンサー８１、読取色情報設定部７３、判定部７４、及び交付中止部７５を作動させる。具体的には、例えば、交付作動が中止して、操作者が、上カバー１１１を開け、収容部２から間違っている投票用紙を除去し、上カバー１１１を閉じると、操作キー９２又は９３がオンされなくても、カラーセンサー８１、読取色情報設定部７３、判定部７４、及び交付中止部７５が作動する。そして、判定部７４の判定結果が「不一致」である場合には、例えば用紙交付機構３の作動を中止することによって、交付作動を中止するとともに、コントローラ部９の表示パネル９４に「用紙が間違っています」と表示したりスピーカー６２から「用紙が間違っています」と報知したりすることによって警告を発する。これによれば、交付作動が中止した後の作業性を向上できる。
【００５９】
なお、上カバー１１１の開閉は、例えば、次のような作業検知センサー６５又は６７によって検知される。
【００６０】
作業検知センサー６５は、図９及び図１０に示されるように、上カバー１１１の前縁部１１２付近に設けられている。作業検知センサー６５は、スイッチ本体６５１とアクチュエータ６５２と操作体６５３とからなるマイクロスイッチで構成されている。操作体６５３は、上カバー１１１の前縁部１１２の回動軸と共に回動するように、前縁部１１２に固定されている。作業検知センサー６５は、上カバー１１１が閉じている時は、図９に示されるように、操作体６５３がアクチュエータ６５２を押した状態、すなわち、オン状態であり、上カバー１１１が開いている時は、図１０に示されるように、操作体６５３がアクチュエータ６５２から離れた状態、すなわち、オフ状態である。これにより、作業検知センサー６５は、上カバー１１１の開閉をオン・オフで検知するようになっている。
【００６１】
作業検知センサー６７は、図１１及び図１２に示されるように、上カバー１１１の前縁部１１２付近に設けられている。作業検知センサー６７は、遮光部６７１とフォトインタラプタ６７２とで構成されている。遮光部６７１は、上カバー１１１の前縁部１１２の回動軸と共に回動するように、前縁部１１２に固定されている。作業検知センサー６７は、上カバー１１１が閉じている時は、図１１に示されるように、遮光部６７１がフォトインタラプタ６７２を遮光した状態、すなわち、オン状態であり、上カバー１１１が開いている時は、図１２に示されるように、遮光部６７１がフォトインタラプタ６７２を遮光していない状態、すなわち、オフ状態である。これにより、作業検知センサー６７は、上カバー１１１の開閉をオン・オフで検知するようになっている。
【００６２】
（ｖ）収容部２が、投票用紙を縦積み形式で収容するようになっている場合において、カラーセンサー８１が、収容されている投票用紙を後方から検知できるように、配置されている。具体的には、カラーセンサー８１は、図１３〜図１５に示されるように、押さえ部材２５の裏面側（後側）に設けられる。図１３は、交付装置１０の前方斜視図である。図１４は、交付装置１０の後方斜視図である。図１５は、図１３のＸＶ−ＸＶ断面図である。押さえ部材２５は、透明であるので、カラーセンサー８１は、押さえ部材２５の前側に配置した投票用紙の色情報を検知できる。これによっても、上記構成の交付装置１０と同様の作動及び効果を奏する。なお、押さえ部材２５にカラーセンサー８１用の小窓を設け、押さえ部材２５の前側の投票用紙の色情報をカラーセンサー８１が小窓を通して検知できるようにしてもよい。
【００６３】
（vi）収容部２が、投票用紙を平積み形式で収容するようになっている。この場合において、カラーセンサー８１は、収容されている投票用紙を上方又は下方から検知できるように、配置されている。図１６は、カラーセンサー８１が上方に配置された場合を示しており、図１７は、カラーセンサー８１が下方に配置された場合を示している。図１６では、平積みされた投票用紙Ｐを上方から押さえる上押さえ部材２７が設けられており、上押さえ部材２７の上面にカラーセンサー８１が下向きに取り付けられている。上押さえ部材２７は透明であるので、カラーセンサー８１は、上押さえ部材２７の下方の投票用紙Ｐの色情報を上方から検知できる。なお、上押さえ部材２７にカラーセンサー８１用の小窓を設け、上押さえ部材２７の下方の投票用紙の色情報をカラーセンサー８１が小窓を通して検知できるようにしてもよい。図１７では、底壁２２の裏面の前端部付近に、カラーセンサー８１が上向きに設けられている。カラーセンサー８１は、平積みされた投票用紙Ｐに下方から面する透明窓８１２を通して、上方の投票用紙Ｐの色情報を下方から検知できる。これらによっても、上記構成の交付装置１０と同様の作動及び効果を奏する。
【００６４】
（vii）カラーセンサー８１が、収容部２内の投票用紙ではなく、搬送路３１を通る投票用紙の色情報を、読み取るように、設置されている。この場合において、カラーセンサー８１は、搬送路３１を通る投票用紙を上方又は下方から検知できるように、配置されている。図１８は、カラーセンサー８１が搬送路３１の上方に配置された場合を示しており、図１９は、カラーセンサー８１が搬送路３１の下方に配置された場合を示している。図２０は、図１９の要部斜視図であり、搬送路３１の一部である搬送部材３１０の下方に、カラーセンサー８１が上向きに設けられた状態を示している。図２０において、矢印は搬送方向を示している。なお、これらの場合において、データ設定作業は、基準紙を搬送することによって行い、初期設定作業は、正規の投票用紙を搬送することによって行う。また、これらの場合において、判定部７４の判定結果が「不一致」である場合には、不一致とされた投票用紙は、用紙交付機構３によって回収部５へ回収されるようになっている。これらによっても、上記構成の交付装置１０と同様の効果を奏する。また、これらの場合においては、投票用紙は、平積み形式に限らず、縦積み形式で収容されてもよい。
【００６５】
なお、カラーセンサー８１は、搬送路３１に設置するよりは、図２、図１５、図１６、又は図１７に示されるように、すなわち、収容部２の投票用紙を検知できるように、設置する方が、投票用紙の間違いを早期に判断できる点、及び、投票用紙を搬送する際のバタツキが無い点で、有利であるので、好ましい。
【００６６】
（viii）装置本体１が、複数種類の基準指標物を有する指標部材を、備えており、指標部材は、複数種類の基準指標物の内の任意の基準指標物を、カラーセンサー８１に読み取らせるように、設定できるようになっている。具体的には、例えば、平面断面略図である図１９に示されるように、装置本体１の立壁２１とカラーセンサー８１との間に、回転式の指標部材３７が設けられている。図２２は、図２１の指標部材３７のＸＸII矢視図である。指標部材３７は、円板の形態を有しており、円周方向に均等に６個の領域３７１〜３７６に分割されている。領域３７１〜３７５には、第１〜第５基準指標物で採用されている第１〜第５指標用紙がそれぞれ貼り付けられており、領域３７６には、貫通孔が形成されている。指標部材３７は、モータ３８１で駆動されて中心軸３８２回りに回転するようになっている。中心軸３８２は、ギヤ３８３、３８４を介して、モータ３８１と連結している。初期設定作業においては、指標部材３７を回転させて、交付予定の正規の投票用紙と同じ素材の指標用紙が貼り付けられている領域を、カラーセンサー８１の後方に位置させる。これにより、カラーセンサー８１は、当該領域の色情報を読み取ることができ、正規色情報設定部７２は、当該色情報に基づいて、正規色情報を設定する。そして、交付作業においては、指標部材３７を回転させて、貫通孔が形成されている領域３７６を、カラーセンサー８１の後方に位置させる。これにより、カラーセンサー８１は、領域３７６と透明窓８１１とを通して、収容部２内の投票用紙Ｐの色情報を読み取ることができる。
【００６７】
或いは、回転式の指標部材３７の代わりに、スライド式の指標部材を用いてもよい。図２３はスライド式の指標部材３９の斜視図である。図２４は、図２３のＸＸIV矢視図である。指標部材３９は、長方形の板体であり、横方向（矢印Ｙ）に均等に５個の領域３９１〜３９５に分割されている。領域３９１〜３９４には、第１〜第４基準指標物で採用されている第１〜第４指標用紙がそれぞれ貼り付けられており、領域３９５には、貫通孔が形成されている。指標部材３９は、装置本体１の立壁２１とカラーセンサー８１との間に、手動で横方向にスライド可能に、設けられている。初期設定作業においては、指標部材３９をスライドさせて、交付予定の正規の投票用紙と同じ素材の指標用紙が貼り付けられている領域を、カラーセンサー８１の後方に位置させる。これにより、カラーセンサー８１は、当該領域の色情報を読み取ることができ、正規色情報設定部７２は、当該色情報に基づいて、正規色情報を設定する。そして、交付作業においては、指標部材３９をスライドさせて、貫通孔が形成されている領域３９５を、カラーセンサー８１の後方に位置させる。これにより、カラーセンサー８１は、領域３９５と透明窓８１１とを通して、収容部２内の投票用紙の色情報を読み取ることができる。
【００６８】
これらによれば、基準指標物の交換作業を不要にできるので、作業性を向上できる。
【００６９】
（ix）読取色情報設定部を非作動状態に設定できる、読取非作動設定手段を、更に備えている。読取非作動設定手段は、具体的には、図２５に示されるようなコントローラ部９の背面のスイッチ群によって構成されている。すなわち、読取非作動設定手段は、電源スイッチ１０１をオフからオンにした状態で、スイッチ９０５を長押してサービスマンモードに入り、更にスイッチ９０１、９０２を押すことによって、「読取の作動／非作動」モードに入って非作動を選択することによって、実行される。これによれば、投票用紙が色情報を有していない選挙にも、交付装置１０を有効に使用できる。
【００７０】
（ｘ）データテーブル７７１に記憶されている正規色情報を、任意の別の正規色情報に変更できる、正規色情報変更手段を、更に備えている。正規色情報変更手段は、具体的には、図２５に示されるようなコントローラ部９の背面のスイッチ群によって構成されている。すなわち、正規色情報変更手段は、電源スイッチ１０１をオフからオンにした状態で、スイッチ９０５を長押してサービスマンモードに入り、更にスイッチ９０１、９０２を押すことによって、「正規色情報再登録」モードに入って設定することによって、実行される。これによれば、データ設定作業が終了している交付装置１０を、急遽、予定していない選挙に使用する場合に、容易に対応できる。
【００７１】
［他の構成］
上記構成の交付装置１０では、次のような場合に対応することができない恐れがある。
（１）投票用紙の色情報が選挙種別毎に特定されていない場合。
（２）投票用紙に記載されている文字の色だけが異なっている場合。
【００７２】
このような場合には、上記構成の交付装置１０において、カラーセンサー８１に代えて、画像読取装置及び光学式文字認識部を使用すればよい。具体的には、例えば、図２６に示されるように、搬送路３１の下側に、画像読取装置としてのイメージセンサー８４が設けられ、制御部７に光学式文字認識部としてのＯＣＲが設けられる。図２７は、本構成の交付装置１０Ａの制御部７のブロック図である。
【００７３】
次に、本構成の交付装置１０Ａの構成を、上記構成の交付装置１０に比して説明する。
【００７４】
（全体構成）
上記構成の交付装置１０と同じである。
【００７５】
（装置本体）
上記構成の交付装置１０と同じである。
【００７６】
（コントローラ部）
上記構成の交付装置１０と同じである。
【００７７】
（収容部）
上記構成の交付装置１０と同じである。なお、投票用紙Ｐは、平積み形式で収容されてているが、縦積み形式で収容されてもよい。
【００７８】
（用紙交付機構）
上記構成の交付装置１０と同じである。
【００７９】
（回収機構）
上記構成の交付装置１０と同じである。
【００８０】
（回収部）
上記構成の交付装置１０と同じである。
【００８１】
（イメージセンサー）
搬送路３１の下側に、画像読取装置としてのイメージセンサー８４が、設置されている。イメージセンサー８４は、搬送路３１を通る投票用紙に印刷されている画像を読み取ることができる。
【００８２】
（照明具）
上記構成の交付装置１０と同じである。
【００８３】
（押さえ部材）
上記構成の交付装置１０と同じである。なお、指標保持部２５１を有してはいない。
【００８４】
（制御部）
制御部７は、データ設定部７１Ａ、ＯＣＲ７６、判定部７４Ａ、及び交付中止部７５等を、有している。ＯＣＲ７６は、イメージセンサー８４によって読み取られた画像データから文字の種類及び／又は文字の色を認識できる。
【００８５】
（記憶部）
制御部７には、記憶部７７が接続されている。
【００８６】
［作動］
次に、本構成の交付装置１０Ａの作動について、説明する。
【００８７】
（１）データ設定作業
データ設定作業は、データ設定部７１Ａによって、記憶部７７に、正規の投票用紙の選挙種別を記憶させる。例えば、図２８に示される投票用紙Ｐ１の場合には、「衆議院議員小選挙区」を記憶させる。データ設定部７１Ａは、コントローラ部９の背面のスイッチ群を操作することによって選挙名モードから選択された選挙名を、記憶部７７に記憶させる。
【００８８】
（２）交付作業
(2-1)上記構成の交付装置１０と同様である。但し、操作キー９２又は９３が１回オンされると、イメージセンサー８４、ＯＣＲ７６、判定部７４Ａ、及び交付中止部７５が作動する。イメージセンサー８４は、搬送路３１を通る投票用紙Ｐの画像を読み取る。ＯＣＲ７６は、イメージセンサー８４によって読み取られた投票用紙Ｐの画像データから文字の種類及び／又は文字の色を認識して、選挙名を判別する。或いは、ＯＣＲ７６は、投票用紙に印刷されている選挙名の印影の画像データから、文字の種類及び／又は文字の色を認識して、選挙名を判別でき、又は、投票用紙に網点で印刷されている選挙名の印影の画像データから、文字のみを切り出して認識して、選挙名を判別できる。判定部７４Ａは、ＯＣＲ７６によって判別された選挙名と、記憶部７７に記憶されている選挙名と、を比較して、両者が一致するか否かを判定する。交付中止部７５は、判定部７４による判定結果が「不一致」である場合に、例えば用紙交付機構３の作動を中止することによって、交付作動を中止するとともに、コントローラ部９の表示パネル９４に「用紙が間違っています」と表示したりスピーカー６２から「用紙が間違っています」と報知したりすることによって警告を発する。
【００８９】
(2-2)交付作動が中止した場合、操作者は、上カバー１１１を開け、収容部２内の間違っている投票用紙Ｐを除去する。そして、上カバー１１１を閉じて、改めて、交付作業を開始する。なお、判定部７４の判定結果が「一致」である場合には、収容部２の最前端の投票用紙Ｐが、収容部２から取り出され、搬送路３１を通して搬送されて、用紙取出口３２から突出する。用紙取出口３２から突出した投票用紙Ｐは、投票者によって抜き出され、すなわち、交付される。
【００９０】
なお、データ設定作業は、用紙交付機構３を作動させて、交付予定の正規の投票用紙を搬送し、その際に、イメージセンサー８４によって投票用紙の画像を読み取り、ＯＣＲ７６によって選挙名を判別し、それを記憶部７７に記憶させるようにしてもよい。
【００９１】
［効果］
上記構成の交付装置１０Ａによれば、次のような効果を発揮できる。
【００９２】
（ａ）収容部２に収容された投票用紙の文字情報から判別した選挙名を、交付予定の正規の投票用紙の選挙名と比較し、両者が一致しない場合には、交付作動を中止するので、間違った投票用紙が交付されるのを自動で防止できる。
【００９３】
（ｂ）収容部２に収容された投票用紙の文字情報すなわち文字の種類及び／又は文字の色から選挙名を判別するので、（１）投票用紙の色情報が選挙種別毎に特定されていない場合であっても、又は、（２）投票用紙に記載されている文字の色だけが異なっている場合であっても、判定部７４が正当な判定を実行できる。
【００９４】
（ｃ）交付中止部７５は、判定部７４Ａによる判定結果が「不一致」である場合に、用紙交付機構３の作動を中止するので、確実に交付作動を中止できる。
【産業上の利用可能性】
【００９５】
本発明の投票用紙交付装置は、間違った投票用紙が交付されるのを自動で且つ確実に防止できるので、産業上の利用価値が大である。
【符号の説明】
【００９６】
１  装置本体
１１１  上カバー（開閉蓋）
２  収容部
２５  押さえ部材
２５１  指標保持部
３  用紙交付機構
３０  基準指標物
３１  搬送路
３７、３８  指標部材
３０４  識別コード
７２  正規色情報設定部
７３  読取色情報設定部
７４  判定部
７５  交付中止部
７７１  データテーブル
１０  投票用紙交付装置
８１  カラーセンサー
８３  識別コード読取センサー
【図１】
2020021423.tif 000003
【図２】
2020021423.tif 000004
【図３】
2020021423.tif 000005
【図４】
2020021423.tif 000006
【図５】
2020021423.tif 000007
【図６】
2020021423.tif 000008
【図７】
2020021423.tif 000009
【図８】
2020021423.tif 000010
【図９】
2020021423.tif 000011
【図１０】
2020021423.tif 000012
【図１１】
2020021423.tif 000013
【図１２】
2020021423.tif 000014
【図１３】
2020021423.tif 000015
【図１４】
2020021423.tif 000016
【図１５】
2020021423.tif 000017
【図１６】
2020021423.tif 000018
【図１７】
2020021423.tif 000019
【図１８】
2020021423.tif 000020
【図１９】
2020021423.tif 000021
【図２０】
2020021423.tif 000022
【図２１】
2020021423.tif 000023
【図２２】
2020021423.tif 000024
【図２３】
2020021423.tif 000025
【図２４】
2020021423.tif 000026
【図２５】
2020021423.tif 000027
【図２６】
2020021423.tif 000028
【図２７】
2020021423.tif 000029
【図２８】
2020021423.tif 000030